(57)【要約】【課題】煩わしい設定を別途行なう必要なしに、画面に表示されている写真からレイアウト印刷を行なう。【解決手段】スライドショー再生中に印刷予約を受け付け（Ｓ１００）、１枚の写真が再生されている最中に印刷予約がなされたときにはその１枚の写真を印刷対象として受け付けて１面レイアウトを設定し（Ｓ１２０）、再生が完了した写真と次回以降に再生するために待機している写真とを含む複数枚の写真が１画面に表示される写真切替エフェクト処理の最中に印刷予約がなされたときにはその複数枚の写真を印刷対象として受け付けて多面レイアウトを設定する（Ｓ１３０）。【選択図】図５
2011194786.tif 000002
【特許請求の範囲】
【請求項１】
複数の画像を記憶する記憶手段に接続され、該記憶されている画像の中から選択された画像を媒体に形成する画像形成装置であって、
画面に画像を表示する表示手段と、
画像を媒体に形成する画像形成手段と、
ユーザーにより操作されて各種指示を受け付ける操作手段と、
前記操作手段を介して画像の表示が指示された場合には一画面に一度に表示される画像数の切り替えを伴って前記記憶されている複数の画像が表示されるよう前記表示手段を制御し、前記表示手段に画像が表示されている最中に前記操作手段を介して画像形成の指示を受け付け、該画像形成の指示が受け付けられた場合には該指示が受け付けられたときに一画面に表示されている画像の数に応じた面のレイアウトを設定し、該設定したレイアウトをもって前記指示が受け付けられたときに一画面に表示されている画像が前記媒体に形成されるよう前記画像形成手段を制御する制御手段と
を備える画像形成装置。
【請求項２】
前記制御手段は、次回以降に表示する待機画像を含む複数の画像を一時的に一画面に表示する画像切替エフェクト処理により画像の切り替えを伴って前記記憶されている複数の画像が一つずつ順次表示されるよう前記表示手段を制御し、一つの画像が一画面に表示されている最中に前記操作手段を介して画像形成が指示された場合に一面レイアウトを設定すると共に該設定した一面レイアウトをもって前記一つの画像が前記媒体に形成されるよう前記画像形成手段を制御し、前記画像切替エフェクト処理の最中に前記操作手段を介して画像形成が指示された場合に該画像切替エフェクト処理により一画面に表示されている複数の画像の画像数に応じた複数面レイアウトを設定すると共に該設定した複数面レイアウトをもって該複数の画像が前記媒体に形成されるよう前記画像形成手段を制御する手段である請求項１記載の画像形成装置。
【請求項３】
前記制御手段は、前記画像切替エフェクト処理として前記複数の画像の少なくとも一つが他と異なるサイズで一画面に表示されるよう前記表示手段を制御し、前記画像切替エフェクト処理の最中に前記操作手段を介して画像形成が指示された場合には一画面に表示されている複数の画像のうちサイズの大きい画像が小さい画像よりも大きな枠でレイアウトされて前記媒体に形成されるよう前記画像形成手段を制御する手段である請求項２記載の画像形成装置。
【請求項４】
前記制御手段は、前記設定したレイアウトによりプレビュー画面が表示されるよう前記表示手段を制御し、該プレビュー画面を表示した後に画像が前記設定したレイアウトをもって前記媒体に形成されるよう前記画像形成手段を制御する手段である請求項１ないし３いずれか１項に記載の画像形成装置。
【請求項５】
前記制御手段は、前記プレビュー画面が表示されている最中に前記操作手段を介して所定の編集の指示を受け付け、該編集の指示がなされた場合には画像の編集を実行すると共に編集後の画像を前記媒体に形成する手段である請求項４記載の画像形成装置。
【請求項６】
前記編集は、レイアウト面数の変更，レイアウトパターンの変更，画像の差し替えの少なくとも一つを含む請求項５記載の画像形成装置。
【請求項７】
ユーザーにより操作されて各種指示を受け付ける操作手段と画面に画像を表示する表示手段と画像を媒体に形成する画像形成手段とを備えると共に複数の画像を記憶する記憶手段に接続され、該記憶されている画像の中から選択された画像を媒体に形成する画像形成方法であって、
前記操作手段を介して画像の表示が指示された場合には一画面に一度に表示される画像数の切り替えを伴って前記記憶されている複数の画像が表示されるよう前記表示手段を制御し、前記表示手段に画像が表示されている最中に前記操作手段を介して画像形成の指示を受け付け、該画像形成の指示が受け付けられた場合には該指示が受け付けられたときに一画面に表示されている画像が該一画面に表示されている画像数に応じた面のレイアウトをもって前記媒体に形成されるよう前記画像形成手段を制御する
ことを特徴とする画像形成方法。
【発明の詳細な説明】
【技術分野】
【０００１】
本発明は、複数の画像を記憶する記憶手段に接続され、該記憶されている画像の中から選択された画像を媒体に形成する画像形成装置に関する。
【背景技術】
【０００２】
従来、この種の画像形成装置としては、複数の写真をスライドショーとして再生するためのスライド表示順などの設定データに基づいて、複数の写真をスライドショー表示順に従って配列して印刷するものが提案されている（例えば、特許文献１参照）。この装置では、写真プリントの写真の配列がスライドショー表示順となるため、ユーザーは写真プリントを見れば、スライドショーの内容を把握することができるとしている。
【先行技術文献】
【特許文献】
【０００３】
【特許文献１】特開２００７−１２０１５号公報
【発明の概要】
【発明が解決しようとする課題】
【０００４】
ところで、スライドショー再生では、１枚の写真を一画面に大きく表示したり、複数枚の写真を一画面に同時に表示したりするなど様々なエフェクトがある。いま、表示装置付きの画像形成装置において、表示装置にスライドショー再生されている写真を印刷しようとする場合を考えると、エフェクトにより一画面に同時に表示されている複数の写真を印刷しようとしても、スライドショー再生後に写真を選択し直したり、複数の写真をレイアウトするためのレイアウトの設定も行なわなければならず、ユーザーに多大な負担を強いるものとなっていた。
【０００５】
本発明の画像形成装置は、煩わしい設定を別途行なう必要がなく、画面に表示されている画像を指定することにより複数の画像をレイアウトして媒体に形成できるようにすることを主目的とする。
【０００６】
本発明の画像形成装置は、上述の主目的を達成するために以下の手段を採った。
【課題を解決するための手段】
【０００７】
本発明の画像形成装置は、
複数の画像を記憶する記憶手段に接続され、該記憶されている画像の中から選択された画像を媒体に形成する画像形成装置であって、
画面に画像を表示する表示手段と、
画像を媒体に形成する画像形成手段と、
ユーザーにより操作されて各種指示を受け付ける操作手段と、
前記操作手段を介して画像の表示が指示された場合には一画面に一度に表示される画像数の切り替えを伴って前記記憶されている複数の画像が表示されるよう前記表示手段を制御し、前記表示手段に画像が表示されている最中に前記操作手段を介して画像形成の指示を受け付け、該画像形成の指示が受け付けられた場合には該指示が受け付けられたときに一画面に表示されている画像の数に応じた面のレイアウトを設定し、該設定したレイアウトをもって前記指示が受け付けられたときに一画面に表示されている画像が前記媒体に形成されるよう前記画像形成手段を制御する制御手段と
を備えることを要旨とする。
【０００８】
この本発明の画像形成装置では、操作手段を介して画像の表示が指示された場合には一画面に一度に表示される画像数の切り替えを伴って記憶されている複数の画像が表示されるよう表示手段を制御し、表示手段に画像が表示されている最中に操作手段を介して画像形成の指示を受け付け、画像形成の指示が受け付けられた場合には指示が受け付けられたときに一画面に表示されている画像の数に応じた面のレイアウトを設定し、設定したレイアウトをもって指示が受け付けられたときに一画面に表示されている画像が媒体に形成されるよう画像形成手段を制御する。これにより、煩わしい設定を別途行なう必要がなく、一画面に表示されている画像を画像数に応じた面のレイアウトの設定により媒体に形成することができる。
【０００９】
こうした本発明の画像形成装置において、前記制御手段は、次回以降に表示する待機画像を含む複数の画像を一時的に一画面に表示する画像切替エフェクト処理により画像の切り替えを伴って前記記憶されている複数の画像が一つずつ順次表示されるよう前記表示手段を制御し、一つの画像が一画面に表示されている最中に前記操作手段を介して画像形成が指示された場合に一面レイアウトを設定すると共に該設定した一面レイアウトをもって前記一つの画像が前記媒体に形成されるよう前記画像形成手段を制御し、前記画像切替エフェクト処理の最中に前記操作手段を介して画像形成が指示された場合に該画像切替エフェクト処理により一画面に表示されている複数の画像の画像数に応じた複数面レイアウトを設定すると共に該設定した複数面レイアウトをもって該複数の画像が前記媒体に形成されるよう前記画像形成手段を制御する手段であるものとすることもできる。こうすれば、一つ画像が一画面に表示されている最中が画像切替エフェクトがなされている最中かによって適切なレイアウトを自動設定することができる。この態様の本発明の画像形成装置において、前記制御手段は、前記画像切替エフェクト処理として前記複数の画像の少なくとも一つが他と異なるサイズで一画面に表示されるよう前記表示手段を制御し、前記画像切替エフェクト処理の最中に前記操作手段を介して画像形成が指示された場合には一画面に表示されている複数の画像のうちサイズの大きい画像が小さい画像よりも大きな枠でレイアウトされて前記媒体に形成されるよう前記画像形成手段を制御する手段であるものとすることもできる。こうすれば、複数の画像のうちユーザーが注目していると考えられる画像を媒体に大きく形成することができる。
【００１０】
また、本発明の画像形成装置において、前記制御手段は、前記設定したレイアウトによりプレビュー画面が表示されるよう前記表示手段を制御し、該プレビュー画面を表示した後に画像が前記設定したレイアウトをもって前記媒体に形成されるよう前記画像形成手段を制御する手段であるものとすることもできる。こうすれば、ユーザーは媒体に形成される画像を確認することができる。この態様の本発明の画像形成装置において、前記制御手段は、前記プレビュー画面が表示されている最中に前記操作手段を介して所定の編集の指示を受け付け、該編集の指示がなされた場合には画像の編集を実行すると共に編集後の画像を前記媒体に形成する手段であるものとすることもできる。こうすれば、ユーザーは、必要に応じて画像の編集を施すことができる。この場合、前記編集は、レイアウト面数の変更，レイアウトパターンの変更，画像の差し替えの少なくとも一つを含むものとすることもできる。
【００１１】
本発明の画像形成方法は、
ユーザーにより操作されて各種指示を受け付ける操作手段と画面に画像を表示する表示手段と画像を媒体に形成する画像形成手段とを備えると共に複数の画像を記憶する記憶手段に接続され、該記憶されている画像の中から選択された画像を媒体に形成する画像形成方法であって、
前記操作手段を介して画像の表示が指示された場合には一画面に一度に表示される画像数の切り替えを伴って前記記憶されている複数の画像が表示されるよう前記表示手段を制御し、前記表示手段に画像が表示されている最中に前記操作手段を介して画像形成の指示を受け付け、該画像形成の指示が受け付けられた場合には該指示が受け付けられたときに一画面に表示されている画像の数に応じた面のレイアウトを設定し、該設定したレイアウトをもって前記指示が受け付けられたときに一画面に表示されている画像が前記媒体に形成されるよう前記画像形成手段を制御する
ことを要旨とする。
【００１２】
この本発明の画像形成方法では、操作手段を介して画像の表示が指示された場合には一画面に一度に表示される画像数の切り替えを伴って記憶されている複数の画像が表示されるよう表示手段を制御し、表示手段に画像が表示されている最中に操作手段を介して画像形成の指示を受け付け、画像形成の指示が受け付けられた場合には指示が受け付けられたときに一画面に表示されている画像の数に応じた面のレイアウトを設定し、設定したレイアウトをもって指示が受け付けられたときに一画面に表示されている画像が媒体に形成されるよう画像形成手段を制御する。これにより、煩わしい設定を別途行なう必要がなく、一画面に表示されている画像を画像数に応じた面のレイアウトの設定により媒体に形成することができる。
【図面の簡単な説明】
【００１３】
【図１】本実施形態であるプリンター２０の外観を示す外観斜視図。
【図２】本実施形態のプリンター２０の機能ブロックを示すブロック図。
【図３】トップメニュー画面７０の一例を示す説明図。
【図４】スライドショー再生の様子を示す説明図。
【図５】スライドショー再生時印刷処理ルーチンの一例を示すフローチャート。
【図６】スライドショー再生画面から印刷予約して印刷を行なう様子を示す説明図。
【図７】スライドショー再生画面から印刷予約して印刷を行なう様子を示す説明図。
【図８】スライドショー再生画面から印刷予約して印刷を行なう様子を示す説明図。
【図９】編集メニュー画面７４の一例を示す説明図。
【図１０】レイアウト面数の変更の様子を示す説明図。
【図１１】レイアウトパターンの変更の様子を示す説明図。
【図１２】写真差し替えの様子を示す説明図。
【発明を実施するための形態】
【００１４】
次に、本発明の実施の形態を図面に基づいて説明する。図１は、本発明の一実施形態であるプリンター２０の外観を示す外観斜視図であり、図２は、本実施形態のプリンター２０の機能ブロックを示すブロック図である。
【００１５】
本実施形態のプリンター２０は、印刷機構４０（図２参照）を内蔵しＬ版サイズの用紙に印刷を行なうフォトプリンターとして構成されており、その外観としては、図１に示すように、本体２１の上面には本体２１を持ち運ぶための取っ手２２が、本体２１の背面にはセットした用紙を自動給紙するオートシートフィーダー２３が、本体２１の前面には印刷機構４０により印刷された用紙を保持する排紙トレイ２４と写真や印刷時の設定を確認するための液晶ディスプレイ（ＬＣＤ）２５が、本体２１の側面には電源をオンオフするための電源ボタン２６が、それぞれ設けられている。また、本体２１の前面には、排紙トレイ２４に隣接した位置に赤外線通信ポート２８（受光部）が設けられており、この赤外線通信ポート２８に発光部３０ａを向けてリモートコントロール装置３０を操作することにより、プリンター２０を遠隔操作できるようになっている。なお、リモートコントロール装置３０は、プリンター２０を遠隔操作するためのボタン類として、電源をオンオフするための電源ボタン３１と、印刷中に押されると印刷を中止し写真選択画面で押されると印刷枚数や写真の選択を解除するストップ／設定クリアボタン３２と、トップメニュー画面を表示するためのトップメニューボタン３３と、印刷枚数を設定するための印刷枚数設定ボタン（印刷枚数を１枚ずつ増やすプラスボタンおよび印刷枚数を１枚ずつ減らすマイナスボタン）３４と、項目や設定値を選択するための上下左右ボタン３５と、項目を決定したり次の画面に進むためのＯＫボタン３６と、一つ前の画面に戻る戻るボタン３７と、印刷を開始する印刷ボタン３８と、設定画面を表示する設定ボタン３９などを備える。
【００１６】
印刷機構４０は、図２に示すように、左右方向（主走査方向）にループ状に架け渡されたキャリッジベルト４３により駆動されガイド４２に沿って左右に往復するキャリッジ４１と、キャリッジ４１にシアン・マゼンタ・イエロー・ブラック等の各色のインクを供給するインクカートリッジ４４と、各インクカートリッジ４４から供給された各インクに圧力をかけてノズルから用紙Ｓに向けてインクを吐出する印刷ヘッド４５と、副走査方向に用紙Ｓを搬送する搬送ローラー４６とを備える。インクカートリッジ４４は、印刷機構４０の下方に取り付けられており、インクカートリッジ４４がキャリッジ４１上に搭載されていない、いわゆるオフキャリッジタイプである。印刷ヘッド４５は、ここでは圧電素子に電圧をかけることによりこの圧電素子を変形させてインクを加圧する方式を採用しているが、発熱抵抗体（例えばヒータなど）に電圧をかけインクを加熱して発生した気泡によりインクを加圧する方式を採用してもよい。
【００１７】
ＬＣＤ２５は、ＬＣＤコントローラー５４による表示制御を受けて文字や図形，記号などを表示する。ＬＣＤ２５は、本実施形態では、９６０ドット×２４０ドットの画素により構成されている。
【００１８】
また、本実施形態のプリンター２０は、その制御系としては、図２に示すように、プリンター全体の制御を司るメインコントローラー６０と、印刷機構４０を制御するプリンターＡＳＩＣ４８と、赤外線通信ポート２８を介して入力した赤外線信号を操作信号として処理する赤外線通信コントローラー５２と、ＬＣＤ２５を表示制御するＬＣＤコントローラー５４と、メモリーカードスロット５６に挿入されたメモリーカードＭＣに対するデータの書き込みや読み出しを制御するメモリーカードコントローラー５８と、を備え、これらはバス５９を介して互いに電気的に接続されている。
【００１９】
メインコントローラー６０は、ＣＰＵ６１を中心とするマイクロプロセッサーとして構成されており、各種処理プログラムや各種データ、各種テーブルなどを記憶するＲＯＭ６２と、一時的にデータを記憶するＲＡＭ６３と、書き換え可能で電源を切ってもデータは保持されるフラッシュメモリー６４と、電源ボタン２６からの操作信号を入力するインターフェース６５（Ｉ／Ｆ）とを備える。このメインコントローラー６０は、メモリーカードスロット５６に挿入されたメモリーカードＭＣから画像ファイルなどを入力したり、赤外線通信コントローラー５２からの操作信号や印刷機構４０の各部からの検出信号などを入力したりする。また、メインコントローラー６０は、メモリーカードＭＣに編集画像などを保存したり、プリンターＡＳＩＣ４８への指令信号やＬＣＤコントローラー５４への制御信号を出力したりする。
【００２０】
こうして構成された本実施形態のプリンター２０では、トップメニューボタン３３が押されると、トップメニュー画面を表示して各種項目の選択を受け付ける。図３にトップメニュー画面７０の一例を示す。トップメニュー画面７０では、本実施形態では、図示するように、メモリーカードＭＣやフラッシュメモリー６４に記憶されている画像データを順次再生するための「スライドショー」や写真を印刷するための「写真の印刷」，写真を多面レイアウトで印刷するレイアウト印刷や写真にフレームを付けて印刷するフレーム印刷などを行なうための「いろいろな印刷」，メモリーカードＭＣ内のデータをフラッシュメモリー６４にバックアップするための「データ管理」の項目がある。ユーザーは、これらの項目のいずれかを上下左右ボタン３５により選択し、ＯＫボタン３６を押すことにより決定することができる。
【００２１】
トップメニュー画面７０でユーザーにより「写真の印刷」が選択されると、写真選択画面によりメモリーカードＭＣに記憶されている写真の中から印刷する写真の選択を受け付け、写真が選択されると続く設定画面により選択された写真の印刷枚数や用紙サイズ，用紙種類，フチ／日付の設定を受け付け、各設定項目が選択されるとプレビュー画面を表示して印刷ボタン３８が押されるのを待つ。印刷ボタン３８が押されると、選択された写真（圧縮画像ファイル）を読み出して解凍し、解凍後のＲＧＢデータをリサイズしてＣＭＹＫデータに色変換し、色変換後のＣＭＹＫデータにハーフトーン処理を施すことにより２値化して印刷データを生成し、生成した印刷データに基づいて印刷機構４０を制御することにより印刷を実行する。
【００２２】
トップメニュー画面７０でユーザーにより「スライドショー」が選択されると、メモリーカードＭＣに記憶されている画像データを読み出して解凍し、解凍後のＲＧＢデータをＬＣＤコントローラー５４に出力することにより、ＬＣＤ２５に順次画像を表示するスライドショー再生を行なう。図４に、スライドショー再生の様子を示す。スライドショー再生は、写真切替エフェクト処理による切り替えを伴って１枚ずつ写真をＬＣＤ２５に表示するものであり、詳細には、図示するように、１枚の写真が再生されている状態（図４（ａ）参照）からその１枚の再生時間が経過すると、写真が徐々に縮小される（図４（ｂ），（ｃ）参照）。このとき、次回以降に再生される４枚の写真が待機している。前回再生していた写真の縮小が完了すると、次に再生される写真が徐々に拡大され（図４（ｄ），（ｅ）参照）、最終的に画面一杯まで拡大される（図４（ｄ）参照）。スライドショー再生は、こうした処理が繰り返されることにより行なわれる。このように、スライドショー再生では、基本的には、画面に１枚の写真が表示されるが、写真切替エフェクト処理の最中には画面に５枚の写真が表示されることになる。本実施形態では、写真切替エフェクト処理の最中に待機している４枚の写真は、表示の順番が早い写真ほど大きく表示するものとした。
【００２３】
本実施形態のプリンター２０では、スライドショー再生中に、印刷枚数設定ボタン３４のプラスボタンを押されると、印刷予約が受け付けられるようになっており、その後に印刷ボタン３８が押されるか、スライドショー再生が完了した後に、印刷予約を受け付けた写真のプレビュー画面を表示し、さらに印刷ボタン３８が押されると、その写真の印刷を実行する。
【００２４】
次に、こうして構成された本実施形態のプリンター２０の動作、特に、スライドショー再生中に印刷予約がなされたときの動作について説明する。図５は、スライドショー再生時印刷処理ルーチンの一例を示すフローチャートである。このルーチンは、スライドショー再生が開始されたときに実行される。
【００２５】
スライドショー再生時印刷処理ルーチンが実行されると、メインコントローラー６０のＣＰＵ６１は、まず、印刷予約を受け付ける（ステップＳ１００）。この処理は、前述したように、印刷予約を印刷枚数設定ボタン３４のプラスボタンにより受け付けられるものとしたから、このプラスボタンが押されるのを待つ処理となる。印刷予約が受け付けられると、写真切替エフェクト処理の最中であるか否かを判定し（ステップＳ１１０）、写真切替エフェクト処理の最中でないと判定された場合には、ＬＣＤ２５には１枚の写真が表示されているため、その１枚の写真の印刷予約として受け付けて１面レイアウトを選択し（ステップＳ１２０），写真切替エフェクト処理の最中であると判定された場合には、ＬＣＤ２５には再生が完了した写真と次回以降に再生する待機写真とを含めて５枚の写真が表示されているため、その５枚の写真の印刷予約として受け付けて多面レイアウトを選択する（ステップＳ１３０）。そして、スライドショー再生が完了したか印刷ボタン３８が押されたときに（ステップＳ１４０）、印刷予約を受け付けた写真のプレビュー画面を表示し（ステップＳ１５０）、印刷開始が指示されるのを待って（ステップＳ１８０）、印刷処理を実行して（ステップＳ１９０）、本ルーチンを終了する。図６〜図８に、スライドショー再生画面から印刷予約して印刷を実行する様子を示す。図６に示するように、１枚の写真がスライドショー再生されている最中に印刷予約がなされると、再生されている１枚の写真を印刷対象に設定し、この１枚の写真を１面レイアウトでプレビュー画面７２を表示して印刷処理を実行する。一方、図７および図８に示すように、写真切替エフェクト処理の最中に印刷予約がなされると、再生されている５枚の写真を印刷対象に設定し、この５枚の写真を５面レイアウトでプレビュー画面７２を表示して印刷処理を実行する。本実施形態では、図７および図８に示すように、５面のレイアウト面のうちの１面を他の面よりも大枠により形成しており、再生中の５枚の写真のうち最も大きく表示されている写真を大枠に割り当てるものとした。即ち、図４の写真切替エフェクト処理を考えると、図４（ｂ）のタイミングや図４（ｃ）のタイミングで印刷予約がなされた場合には写真Ａが大枠に割り当てられ、図４（ｄ）のタイミングや図４（ｅ）のタイミングで印刷予約がなされた場合には写真Ｂが大枠に割り当てられる。
【００２６】
プレビュー画面を表示した後で印刷開始が指示される前に編集が指示されると（ステップＳ１６０）、編集メニュー画面を表示してメニューの選択を受け付ける（ステップＳ１７０）。図９に編集メニュー画面７４の一例を示す。編集メニュー画面７４では、図示するように、「レイアウト面数の変更」と、「レイアウトパターンの変更」と、「写真の差し替え」の３つのメニューを表示する。編集メニューが選択されると、選択された編集メニューに応じた編集処理を実行して（ステップＳ１７０）、ステップＳ１５０に戻る。
【００２７】
図１０は、レイアウト面数を変更する様子を示す説明図である。レイアウト面数の変更は、プレビュー画面７２で上下左右ボタン３５によりカーソル７２ａを「編集」に合わせてＯＫボタン３６を押すことにより（図１０（ａ）参照）編集メニュー画面７４を表示させ編集メニュー画面７４で上下左右ボタン３５によりカーソル７４ａを「レイアウト面数の変更」に合わせてＯＫボタン３６を押すことにより（図１０（ｂ）参照）レイアウト面数変更画面７６を表示させる。そして、レイアウト面数変更画面７６の右欄に表示された変更可能なレイアウト面（図１０では１面，２面，４面，５面）の中から上下左右ボタン３５により希望の面数にカーソル７６ａを合わせてＯＫボタン３６を押すことにより行なう（図１０（ｃ），図１０（ｄ）参照）。
【００２８】
図１１は、レイアウトパターンの変更の様子を示す説明図である。レイアウトパターンの変更は、図１１に示すように、プレビュー画面７２で上下左右ボタン３５によりカーソル７２ａを「編集」に合わせてＯＫボタン３６を押すことにより（図１１（ａ）参照）編集メニュー画面７４を表示させ編集メニュー画面７４で上下左右ボタン３５によりカーソル７４ａを「レイアウトパターンの変更」に合わせてＯＫボタン３６を押すことにより（図１１（ｂ）参照）レイアウトパターン変更画面７８を表示させる。そして、レイアウトパターン変更画面７８の右欄に表示された変更可能なレイアウトパターン（図１１ではパターン１，パターン２）の中から上下左右ボタン３５により希望のパターンにカーソル７８ａを合わせてＯＫボタン３６を押すことにより行なう（図１１（ｃ），図１１（ｄ）参照）。
【００２９】
図１２は、写真の差し替えの様子を示す説明図である。写真の差し替えは、図１２に示すように、プレビュー画面７２で上下左右ボタン３５によりカーソル７２ａを「編集」に合わせてＯＫボタン３６を押すことにより（図１２（ａ）参照）編集メニュー画面７４を表示させ編集メニュー画面７４で上下左右ボタン３５によりカーソル７４ａを「写真の差し替え」に合わせてＯＫボタン３６を押すことにより（図１２（ｂ）参照）写真差し替え画面８０を表示させる。そして、写真差し替え画面８０に表示された写真枠のうち差し替えを希望する枠に付した番号を右欄から上下左右ボタン３５により選択してＯＫボタン３６を押すことにより（図１２（ｃ）参照）差し替え用の写真選択画面８２を表示させ、写真選択画面８２から上下左右ボタン３５により差し替えたい写真を選択してＯＫボタン３６を押すことにより行なう（図１２（ｄ）参照）。
【００３０】
ここで、本実施形態の構成要素と本発明の構成要素との対応関係を明らかにする。本実施形態のＬＣＤ２５が本発明の「表示手段」に相当し、印刷機構４０とプリンターＡＳＩＣ４８とが「画像形成手段」に相当し、リモートコントロール装置３０が「操作手段」に相当し、図５のスライドショー再生時印刷処理ルーチンを実行するメインコントローラー６０が「制御手段」に相当する。
【００３１】
以上説明した本実施形態のプリンター２０によれば、スライドショー再生中に印刷予約を受け付け、１枚の写真が再生されている最中に印刷予約がなされたときにはその１枚の写真を印刷対象として受け付けて１面レイアウトにより印刷し、再生が完了した写真と次回以降に再生するために待機している写真とを含む複数枚の写真が１画面に表示される写真切替エフェクト処理の最中に印刷予約がなされたときにはその複数枚の写真を印刷対象として受け付けて多面レイアウトにより印刷するから、ユーザーは煩わしい設定を別途行なう必要がなく、画面に表示されている複数枚の写真をその枚数に応じた面のレイアウトの設定により印刷することができる。しかも、多面のレイアウト面のうちの一面を他の面よりも大枠により形成し、スライドショー再生中の複数枚の写真のうち大きく表示されている写真を大枠に割り当てるものとしたから、ユーザーが注目していると考えられる写真を他の写真よりも大きく印刷することができる。さらに、プレビュー画面７２が表示されている最中に編集の指示を受け付けて編集処理を実行するから、印刷予約を行なった後の修正にも適切に対応することができる。
【００３２】
上述した実施形態では、スライドショー再生を、通常再生中は写真を１枚ずつ表示し、写真切替エフェクトの最中には次回以降に表示する写真を含めて１画面に５枚の写真を一時的に表示するものとしたが、写真切替エフェクトの最中に表示する写真の枚数は通常再生中の写真の数と異なるものであれば、如何なる枚数であっても構わない。
【００３３】
上述した実施形態では、多面のレイアウト面のうちの一面を他の面よりも大枠により形成し、スライドショー再生中の複数枚の写真のうち大きく表示されている写真を大枠に割り当てるものとしたが、すべてのレイアウト面の大きさを均等に形成するものとしてもよい。
【００３４】
上述した実施形態では、プレビュー画面７２を表示した後に、「レイアウト面数の変更」と、「レイアウトパターンの変更」と、「写真の差し替え」の３つの編集を受け付けるものとしたが、これらのうちの一部または全部を省略するものとしてもよい。
【００３５】
上述した実施形態では、本発明の画像形成装置をプリンター２０に適用して説明したが、原稿の読み取りが可能なスキャナーを備えるマルチファンクションプリンターに適用するものとしたり、ＦＡＸ機能を備えるＦＡＸ装置に適用するものとしてもよい。
【００３６】
なお、本発明は上述した実施形態に何ら限定されることはなく、本発明の技術的範囲に属する限り種々の態様で実施し得ることはいうまでもない。
【符号の説明】
【００３７】
２０  プリンター、２１  本体、２２  取っ手、２３  オートシードフィーダー、２４  排紙トレイ、２５  液晶ディスプレイ、２６  電源ボタン、２８  赤外線通信ポート、３０  リモートコントロール装置、３０ａ  発光部、３１  電源ボタン、３２  ストップ／設定クリアボタン、３３  トップメニューボタン、３４  印刷枚数設定ボタン、３５  上下左右ボタン、３６  ＯＫボタン、３７  戻るボタン、３８  印刷ボタン、３９  設定ボタン、４０  印刷機構、４１  キャリッジ、４２  ガイド、４３  キャリッジベルト、４４  インクカートリッジ、４５  印刷ヘッド、４６  搬送ローラー、４７  キャッピング装置、４８  プリンターＡＳＩＣ、５２  赤外線通信コントローラー、５４  ＬＣＤコントローラー、５６  メモリーカードスロット、５８  メモリーカードコントローラー、６０  メインコントローラー、６１  ＣＰＵ、６２  ＲＯＭ、６３  ＲＡＭ、６４  フラッシュメモリー、６５  インターフェース（Ｉ／Ｆ）、７０  トップメニュー画面、７２  プレビュー画面、７２ａ  カーソル、７４  編集メニュー画面、７４ａ  カーソル、７６  レイアウト面数変更画面、７６ａ  カーソル、７８  レイアウトパターン変更画面、７８ａ  カーソル、８０  写真差し替え画面、８０ａ  カーソル、８２  写真選択画面。
【図１】
2011194786.tif 000003
【図２】
2011194786.tif 000004
【図３】
2011194786.tif 000005
【図４】
2011194786.tif 000006
【図５】
2011194786.tif 000007
【図９】
2011194786.tif 000008
【図６】
2011194786.tif 000009
【図７】
2011194786.tif 000010
【図８】
2011194786.tif 000011
【図１０】
2011194786.tif 000012
【図１１】
2011194786.tif 000013
【図１２】
2011194786.tif 000014